(57)【特許請求の範囲】
【請求項１】
左右方向の何れか一端に配設される支持体と、該支持体と所要間隔で他端に対向配設される受け座とを、前後に所要間隔の一対のアームで接合形成される枠体と、該枠体の空間内で両アームに軸支される支軸に回動自在に位置決め軸着される押圧体と、該押圧体の上部に接合される長尺の把手と、下部で前記受け座に対向する位置に一体に延出される押圧片と、押圧体と枠体間に連係配設される弾発手段とから成るハゼ継ぎ金属板の剥離具。
【請求項２】
前記受け座に、脱出防止板を上下調節自在に接合して成る請求項１記載のハゼ継ぎ金属板の剥離具。
【発明の詳細な説明】
【技術分野】
【０００１】
本発明は、縦長金属板葺き屋根や横長金属板葺き屋根における立ちハゼや平ハゼによるハゼ継ぎ金属板を屋根面から剥離する手工具に関する。
【背景技術】
【０００２】
金属板葺き屋根において、屋根本体の勾配なりの平板継ぎは巻きハゼ（二重ハゼ）による立ちハゼでおさめられ、該勾配に直交する方向の平板継ぎは平ハゼでおさめられる。
ところで、このように雨仕舞いされた金属板葺き屋根も長年の経年変化によって老朽化し葺き替え工事となると、既設の金属板の剥離に次のような問題がある。
すなわち、縦葺き長尺金属板でも横葺き長尺金属板でも各ハゼ継ぎ部を巻き戻しして各個に分離し、多数の吊子を野地板から個々に取り外すことは労力と時間を要するのである。
この金属板葺き屋根における金属板の処理に関わる手工具として、ハゼの屈曲部を切断して屋根葺き用金属板を現場で適宜な寸法物に加工できる技術は、特開平７−３１４２４０号公報（特許文献１）に提案されているが、特定個所の切断には有効であっても、全てのハゼ継ぎ部を切断するには余りにも多くの労力と時間がつうやされこれに加え吊子の取り外しの手間も要するので、金属板葺き屋根の修復現場では老朽化したハゼ継ぎ金属板を簡単に屋根面から剥離できる技術が要望されている。
【特許文献１】特開平７−３１４２４０号公報
【発明の開示】
【発明が解決しようとする課題】
【０００３】
本発明は上記実情に鑑みてハゼ継ぎ金属板葺き屋根において、特定部位の金属板と野地板との係合を順次に解放していって立ちハゼ或いは平ハゼと共に吊子共々一連の金属板を野地板から剥離できるハゼ継ぎ金属板の剥離具を提供しようとする。
【課題を解決するための手段】
【０００４】
本発明の請求項１記載のハゼ継ぎ金属板の剥離具は、左右方向の何れか一端に配設される支持体と、該支持体と所要間隔で他端に対向配設される受け座とを、前後に所要間隔の一対のアームで接合形成される枠体と、該枠体の空間内で両アームに軸支される支軸に回動自在に位置決め軸着される押圧体と、該押圧体の上部に接合される長尺の把手と、下部で前記受け座に対向する位置に延出される押圧片と、押圧体と枠体間に連係配設される弾発手段とから成る。
請求項２記載のハゼ継ぎ金属板の剥離具は、請求項１記載のハゼ継ぎ金属板の剥離具において、
前記受け座に脱出防止板を上下調節自在に接合して成る。
【発明の効果】
【０００５】
本発明のハゼ継ぎ金属板の剥離具によれば、押圧体の押圧片と受け座間にハゼ継ぎ部を強力に挟持するとともに、枠体の支持体と金属板との接触点を支点としてハゼ継ぎ部を持ち上げできるから、ハゼ継ぎ部と共に吊子が野地板から取り外され、順次に全長に渡って配設される吊子が野地板から分離され、順次に各列に渡って同様に吊子が野地板から取り外されるから、簡単に省力的に屋根面から全金属板を剥離できる効果がある。
【発明を実施するための最良の形態】
【０００６】
押圧体と枠体間に配設される弾発手段には、押圧体の一端（左方上部）と支持体の上部右方間に係着される圧縮コイルスプリングとか、支軸に外嵌しその一端をアームに係着し他端を押圧体に係着するねじりバネがある。
押圧体の上部に接合される長尺の把手には、押圧体の上部に立設した取付け部に把手の柄部を外嵌して押しネジで着脱自在に接合するものから、ネジ螺合によるものがある。
このほか、押圧片の上面や受け座の下面、脱出防止板の下面には、それぞれ平面視で前後方向に沿う複数条の滑り止め凸条などが配列されるものがある。
【実施例】
【０００７】
本発明を一実施例により説明すると、図１、図２に示すように、左方の円筒状鋼管（直径27.2mm、長さ90mm）から成る支持体１と、支持体１に対して所要間隔（支持体１の外周内方から105mm）隔てて右方にその内面を対向して配設される受け座（幅9mm×高さ20mm×長さ95mmの縦長矩形体）２とを、前後に65mmの間隔を開けて配設された一対のアーム３、３で接合した枠体４が形成され、枠体４の内部に形成される空間内で、両アーム３、３間に差し渡されて軸支される支軸５に横向き角筒状の押圧体６を回動自在に軸着するとともに、ストッパー７で右方への回動を規制して位置決めし、押圧体６の上部には円筒状鋼管（直径21.2mm、長さ100mm）による取付け部８を溶着立設し、下部には右方へ下り勾配の押圧片９を受け座２の下面に対応する長さで一体に延出させ、かつ、押圧体６の左方上部と支持体１の上部右方にそれぞれスプリング受け１０が接合され、両スプリング受け１０、１０に圧縮コイルスプリング１１が係着され、常に押圧片９の上面と受け座２の下面間が開口した状態で保持される。受け座２の外面（右方）には前後に螺着されるビス１２で脱出防止板（幅6mm×高さ15mm×長さ80mmの縦長矩形体）１３が係着され、この脱出防止板１３のビス挿通孔１４は長孔に形成されて受け座２に対して脱出防止板１３が上下調節自在となっている。
このようにして成る剥離具本体ａには、長尺の柄部１５aとヘ字状に折曲する握り部１５bとから成る把手１５が図３に示すように、柄部１５aの下方を取付け部８に外嵌し押しネジ１６で着脱自在に接合されて成る。
【０００８】
このようにして成るハゼ継ぎ金属板の剥離具Ａの使用状態を立ちハゼ継ぎの例で説明すると、屋根面の特定部位の金属板１７（例えば吊子１８の配設される側の最端部の金属板１７）が屋根面から解放された状態で剥離に取りかかるが、図３に示すように、固定側の金属板１７の側に支持体２が接触するように剥離具本体ａを向けて図４（ａ）に示すように、立ちハゼ１９の下端部に押圧片９の先端を差し込み、把手１５をその握り部１５bによって矢印に示すように左方へ倒すと、押圧片９の先端が右方へ食い込みつつ受け座２は支軸５を中心に矢印方向に回動し、押圧片９の上面と受け座２の下面間に挟持された立ちハゼ１９は、脱出防止板１３の垂下部１３aでその脱出が防止されて強力に圧壊状態で挟持される。この状態で固定側の金属板１７と支持体１の接触点を支点２０として把手１５をさらに押し下げると、解放側（右方）の金属板１７を立ちハゼ１９と共に持ち上げつつ引き込みすることとなって、吊子１８の打ち釘１８aが野地板２１から引き抜かれ、順次に縦方向全長に渡って配設された全ての吊子１８が野地板２１から取り外され、支持体１の支点２０となっていた金属板１７が屋根面から剥離されてフリーな状態となり、順次に同様の要領で各列の立ちハゼ１９が野地板２１から分離されて全金属板１７が屋根面から剥離される。
平ハゼ継ぎによる金属板１７の剥離例を説明すると、図４（ｂ）に示すように、受け座２に対して脱出防止板１３をその下面が受け座２の下面と面一となるように引きあげビス１２で固定し、その状態で剥離具本体ａの押圧片９の先端を平ハゼ２２に向けて把手１５を左方へ倒すと、受け座２は矢印に示す方向に回動し、受け座２と脱出防止板１３の両者の下面と押圧片９によって平ハゼ２２が強力に挟持され、特定部位（最上端）の金属板１７が屋根面と解放された状態であるから、前記と同様に固定側の金属板１７と支持体１の接触点を支点２０として把手１５をさらに押し下げると、解放側（上方）の金属板１７を平ハゼ２２と共に持ち上げつつ引き込みできるから、吊子１８の打ち釘１８aが野地板２１から引き抜かれ、吊子１８が野地板２１から分離され、順次に横方向全長に渡って配設された全ての吊子１８が野地板２１から分離され、支持体１の支点２０となっていた金属板１７が屋根面から剥離される。順次に各列の平ハゼ２２が野地板２１から分離され全金属板１７が屋根面から剥離される。
このように簡単省力的に剥離された一連の金属板１７は丸められて屋根上から下ろされ処理される。
【産業上の利用可能性】
【０００９】
本発明は、老朽化したハゼ継ぎ金属板を屋根面から簡単に剥離できるから屋根工事業界と板金関係の手工具製造業界にとってもヒット商品として大いに期待される。
【図面の簡単な説明】
【００１０】
【図１】本発明に係わるハゼ継ぎ金属板の剥離具Ａの要部である剥離具本体ａの一部を破断した正面図。
【図２】図１の平面図。
【図３】立ちハゼ１９におさめたハゼ継ぎ金属板の剥離状態を示す説明図。
【図４】ハゼ継ぎ金属板の剥離具Ａの作動説明図で、（ａ）は立ちハゼ１９の場合に用いた作動状態を示し、（ｂ）は平ハゼ２２の場合に用いた作動状態を示す。
【符号の説明】
【００１１】
１：支持体
２：受け座
３：アーム
４：枠体
５：支軸
６：押圧体
７：ストッパー
８：取付け部
９：押圧片
１０：スプリング受け
１１：圧縮コイルスプリング
１２：ビス
１３a：垂下部
１４：ビス挿通孔
１５：把手
１５a：柄部
１５b：握り部
１６：押しネジ
１７：金属板
１８：吊子
１８a：打ち釘
１９：立ちハゼ
２０：支点
２１：野地板
２２：平ハゼ
ａ：剥離具本体
Ａ：ハゼ継ぎ金属板の剥離具
【図１】
0004857212.tif 000002
【図２】
0004857212.tif 000003
【図３】
0004857212.tif 000004
【図４】
0004857212.tif 000005